(57)【要約】【課題】  製造コストを抑制しつつ、省スペース化及び軽量化を実現できるワイヤハーネスの固定構造及びワイヤハーネスの固定方法を提供する。【解決手段】本発明に係るワイヤハーネスの固定構造１０は、一又は複数本の導電路（導電路集合体１１０）の外装が管体１２０で覆われたワイヤハーネス１００を、車体１に固定可能な車体固定部材２００によって車体１の外周部に固定する構造である。この際、水又は光で硬化する長尺状の硬化性部材３００によって、管体１２０の外周に車体固定部材２００を固定する。【選択図】図２
2012171476.tif 000002
【特許請求の範囲】
【請求項１】
一又は複数本の導電路の外装が管体で覆われたワイヤハーネスを、車体に固定可能な車体固定部材によって前記車体の外周部に固定するワイヤハーネスの固定構造であって、
水又は光で硬化する長尺状の硬化性部材によって、前記管体の外周に前記車体固定部材を固定することを特徴とするワイヤハーネスの固定構造。
【請求項２】
請求項１に記載のワイヤハーネスの固定構造であって、
前記車体固定部材は、
前記車体に係合するクリップ本体部分と、
前記クリップ本体部分に連結され、前記管体の外周に沿う取付固定部分と
を備え、
前記取付固定部分は、前記硬化性部材によって前記管体の外周に固定されることを特徴とするワイヤハーネスの固定構造。
【請求項３】
請求項２に記載のワイヤハーネスの固定構造であって、
前記硬化性部材の表面は、粘着性を有し、
前記取付固定部分は、前記管体の外周に予め取り付けられた前記硬化性部材の表面に粘着されることによって、前記管体の外周に仮固定されることを特徴とするワイヤハーネスの固定構造。
【請求項４】
一又は複数本の導電路の外装が管体で覆われたワイヤハーネスを、車体に固定可能な車体固定部材によって前記車体の外周部に固定するワイヤハーネスの固定方法であって、
前記管体の外周に前記車体固定部材が接触した状態で、前記車体固定部材と前記管体との接触箇所に対応する外周位置に、水又は光で硬化する長尺状の硬化性部材を巻き付けるステップと、
前記外周位置に取り付けられた前記硬化性部材を硬化するステップと
を少なくとも含むことを特徴とするワイヤハーネスの固定方法。
【請求項５】
請求項４に記載のワイヤハーネスの固定方法であって、
前記外周位置に前記硬化性部材を巻き付けるステップの前に、前記管体の外周に前記車体固定部材が接触した状態で、前記管体の外周に前記車体固定部材を仮固定するステップをさらに含むことを特徴とするワイヤハーネスの固定方法。
【発明の詳細な説明】
【技術分野】
【０００１】
本発明は、一又は複数本の導電路の外装が管体で覆われたワイヤハーネスの固定構造及びワイヤハーネスの固定方法に関する。
【背景技術】
【０００２】
一般的に、自動者などの車体の外周部（例えば、車体床下などの外部露出部位）に配索されるワイヤハーネスにおいて、飛石などの衝撃から一又は複数本の導電路を保護する必要があるため、該導電路の外装が管体で覆われている。
【０００３】
このようなワイヤハーネスを車体の外周部に固定するために、例えば、開閉可能に連結された一対の半割部材からなるクランプによって、ワイヤハーネスを車体の外周部に固定するワイヤハーネスの固定構造が知られている（例えば、特許文献１参照）。この技術では、クランプに取り付けられるサポート部材によって管体を任意の形状に保持することも可能である。
【先行技術文献】
【特許文献】
【０００４】
【特許文献１】特開２００９−３８８９９号公報（第２〜第４頁、第１及び第２図）
【発明の概要】
【発明が解決しようとする課題】
【０００５】
しかしながら、上述した従来のワイヤハーネスの固定構造では、クランプが開閉可能に連結された一対の半割部材によって形成されているため、該クランプの小型化や軽量化には限界があった。
【０００６】
また、従来のワイヤハーネスの固定構造では、ワイヤハーネスの径や形状によって様々なサイズのクランプ及びサポート部材が必要になってしまうとともに、クランプとは別にサポート部材が必要であるため、部品点数の増大を招いてしまう。従って、従来のワイヤハーネスの固定構造では、設計費や材料費などの製造コストが増大する問題もあった。
【０００７】
そこで、本発明は、製造コストを抑制しつつ、省スペース化及び軽量化を実現できるワイヤハーネスの固定構造及びワイヤハーネスの固定方法の提供を目的とする。
【課題を解決するための手段】
【０００８】
上述した課題を解決するため、本発明は、次のような特徴を有している。まず、本発明の第１の特徴は、一又は複数本の導電路（導電路１１１）の外装が管体１２０で覆われたワイヤハーネス（ワイヤハーネス１００）を、車体（車体１）に固定可能な車体固定部材（車体固定部材２００）によって前記車体の外周部に固定するワイヤハーネスの固定構造（ワイヤハーネスの固定構造１０）であって、水又は光で硬化する長尺状の硬化性部材（硬化性部材３００）によって、前記管体の外周に前記車体固定部材を固定することを要旨とする。
【０００９】
かかる特徴によれば、従来のようなクランプを用いることなく、管体の外周に車体固定部材を長尺状の硬化性部材のみで固定できるため、省スペース化及び軽量化を実現できる。また、管体の外周に硬化性部材によって車体固定部材が固定されると、硬化性部材の硬化作用によって管体を任意の形状に保持できる。つまり、硬化性部材のみで管体を任意の形状に保持できるため、ワイヤハーネスの径や形状に左右されることなく、従来のようにワイヤハーネスの径や形状によって様々なサイズのクランプ及びサポート部材が必要なくなり、部品点数を減少できる。また、車体固定部材を専用設計することなく、一般的な安価な車体固定部材を利用できる。従って、設計費や材料費などの製造コストを確実に抑制できる。
【００１０】
本発明の第２の特徴は、本発明の第１の特徴に係り、前記車体固定部材は、前記車体に係合するクリップ本体部分（クリップ本体部分２１０）と、前記クリップ本体部分に連結され、前記管体の外周に沿う取付固定部分（取付固定部分２２０）とを備え、前記取付固定部分は、前記硬化性部材によって前記管体の外周に固定されることを要旨とする。
【００１１】
かかる特徴によれば、車体固定部材に管体の外周に沿う取付固定部分が設けられていることによって、管体の外周に沿っていない取付固定部分が設けられる場合と比較して、省スペース化を実現できる。さらに、管体の外周に沿った取付固定部分により管体を任意の形状に保持しやすくなるため、車体固定部材の取付作業が精度よく且つ容易となるとともに、管体の強度をも確保できる。
【００１２】
本発明の第３の特徴は、本発明の第２の特徴に係り、前記硬化性部材の表面は、粘着性を有し、前記取付固定部分は、前記管体の外周に予め取り付けられた前記硬化性部材の表面に粘着されることによって、前記管体の外周に仮固定されることを要旨とする。
【００１３】
かかる特徴によれば、取付固定部分が管体の外周に仮固定されることによって、取付固定部分と管体の外周との位置ずれが生じにくく、硬化性部材の取付作業がさらに精度よく且つ容易となる。
【００１４】
本発明の第４の特徴は、一又は複数本の導電路の外装が管体で覆われたワイヤハーネスを、車体に固定可能な車体固定部材によって前記車体の外周部に固定するワイヤハーネスの固定方法であって、前記管体の外周に前記車体固定部材が接触した状態で、前記車体固定部材と前記管体との接触箇所に対応する外周位置に、水又は光で硬化する長尺状の硬化性部材を巻き付けるステップ（本巻き工程）と、前記外周位置に取り付けられた前記硬化性部材を硬化するステップ（本固定工程）とを少なくとも含むことを要旨とする。
【００１５】
本発明の第５の特徴は、本発明の第４の特徴に係り、前記外周位置に前記硬化性部材を巻き付けるステップの前に、前記管体の外周に前記車体固定部材が接触した状態で、前記管体の外周に前記車体固定部材を仮固定するステップ（仮固定工程）をさらに含むことを要旨とする。
【発明の効果】
【００１６】
本発明の特徴によれば、管体の外周に車体固定部材を長尺状の硬化性部材のみで固定できるため、製造コストを抑制しつつ、省スペース化及び軽量化を実現できるワイヤハーネスの固定構造及びワイヤハーネスの固定方法を提供することができる。
【図面の簡単な説明】
【００１７】
【図１】図１は、本実施形態に係るワイヤハーネスの固定構造１０が用いられる車体１を示す模式図である。
【図２】図２は、本実施形態に係るワイヤハーネス１００を示す斜視図である。
【図３】図３は、本実施形態に係るワイヤハーネスの固定構造１０を示す分解斜視図である。
【図４】図４は、本実施形態に係るワイヤハーネスの固定方法を説明するための模式図である。
【図５】図５は、その他の実施形態に係るワイヤハーネスの固定構造１０を示す斜視図である。
【発明を実施するための形態】
【００１８】
次に、本発明に係るワイヤハーネスの固定構造及びワイヤハーネスの固定方法の実施形態について、図面を参照しながら説明する。具体的には、（１）車体１の概略構成、（２）ワイヤハーネス１００の構成、（３）ワイヤハーネスの固定構造１０の説明、（４）ワイヤハーネスの固定方法の説明、（５）作用・効果、（６）その他の実施形態について説明する。
【００１９】
なお、以下の図面の記載において、同一または類似の部分には、同一または類似の符号を付している。ただし、図面は模式的なものであり、各寸法の比率などは現実のものとは異なることに留意すべきである。
【００２０】
したがって、具体的な寸法などは以下の説明を参酌して判断すべきである。また、図面相互間においても互いの寸法の関係や比率が異なる部分が含まれ得る。
【００２１】
（１）車体１の概略構成
まず、本実施形態に係るワイヤハーネスの固定構造１０が用いられる車体１の概略構成について、図面を参照しながら説明する。図１は、本実施形態に係るワイヤハーネスの固定構造１０が用いられる車体１を示す模式図である。なお、本実施形態では、ワイヤハーネスの固定構造１０が用いられる車体１として、ハイブリッド自動車であるものとして説明するが、これに限定されるものではなく、電気自動車などの他の自動車であってもよい。
【００２２】
図１に示すように、車体１は、エンジン２及びモータユニット３の二つの動力をミックスして駆動するものである。モータユニット３には、インバータユニット４を介してバッテリー５（電池パック）からの電力が供給される。
【００２３】
本実施形態では、エンジン２、モータユニット３及びインバータユニット４は、前輪等が位置するエンジンルーム６に搭載されている。また、バッテリー５は、後輪等が位置する自動車後部７に搭載されている。なお、バッテリー５は、エンジンルーム６の後方に存在する自動車室内に搭載されもよい。
【００２４】
モータユニット３及びインバータユニット４は、公知の高圧ワイヤハーネス８により接続されている。また、インバータユニット４及びバッテリー５は、本発明のワイヤハーネス１００により接続されている。
【００２５】
ワイヤハーネス１００は、高圧用のものとして構成される。ワイヤハーネス１００は、この中間部１００Ｍが車体床下１１の地面側に配索される。車体床下１１は、公知のボディであるとともに所謂パネル部材であって、所定位置には貫通孔（不図示）が貫通形成されている。なお、ワイヤハーネス１００の詳細や、該ワイヤハーネス１００を車体床下１１に固定するワイヤハーネスの固定構造１０の詳細については、後述する（図２及び図３）。
【００２６】
ワイヤハーネス１００及びバッテリー５は、該バッテリー５に設けられるジャンクションブロック１２を介して接続されている。ジャンクションブロック１２には、ワイヤハーネス１００の後端１００Ｒがコネクタ接続されている。ワイヤハーネス１００の後端１００Ｒ側は、車体１の室内側となる床上に配索されている。該床上には、ワイヤハーネス１００の前端１００Ｆ側も配索されている。ワイヤハーネス１００の前端１００Ｆ側は、インバータユニット４にコネクタ接続されている。
【００２７】
ここで、本実施形態での補足説明をすると、モータユニット３は、モータ及びジェネレータを構成に含む。また、インバータユニット４は、インバータ及びコンバータを構成に含む。モータユニット３及びインバータユニット４は、シールドケースを含むモータアッセンブリとして形成される。また、バッテリー５は、Ｎｉ−ＭＨ系やＬｉ−ｉｏｎ系のものであって、モジュール化してなる。なお、バッテリー５は、例えば、キャパシタのような蓄電装置を使用することも可能である。バッテリー５は、ハイブリッド自動車である車体１や電気自動車に使用可能であれば特に限定されるものではない。
【００２８】
（２）ワイヤハーネス１００の構成
次に、本実施形態に係るワイヤハーネス１００の構成について、図２を参照しながら説明する。図２は、本実施形態に係るワイヤハーネス１００を示す斜視図である。
【００２９】
ここで、上述したように、ワイヤハーネス１００の中間部１００Ｍは、車体床下１１に沿って略平行に配索される（図１参照）。すなわち、ワイヤハーネス１００の中間部１００Ｍは、地面からの距離を稼ぐことができるように配索される。このワイヤハーネス１００は、地面からの距離を稼ぐためとして低背化となる構造にて製造されている。
【００３０】
図２に示すように、ワイヤハーネス１００は、一又は複数本の導電路１１１の外装が管体１２０で覆われている。具体的には、ワイヤハーネス１００は、導電路集合体１１０と、導電路集合体１１０（導電路１１１）の外装を被覆する管体１２０とを備えている。
【００３１】
（２−１）導電路集合体１１０の構成
導電路集合体１１０は、一又は複数本の導電路１１１と、該導電路１１１を一括してシールドする電磁シールド部材１１２とを備える。本実施形態では、導電路１１１は、一本の高圧電線１１１Ａと、二本の低圧電線１１１Ｂとによって構成される。
【００３２】
高圧電線１１１Ａは、導体及び絶縁体（被覆）を含む導電路であって、電気的な接続に必要な長さを有している。導体は、銅や銅合金、アルミニウム、アルミニウム合金などにより製造される。導体に関しては、素線を撚り合わせてなる導体構造のものや、断面矩形又は丸形となる棒状の導体構造（例えば平角単心や丸単心となる導体構造であり、この場合、電線自体も棒状となる）のもののいずれであってもよい。高圧電線１１１Ａは、非シールド電線となる構成を有している。なお、高圧電線１１１Ａの両端末には、コネクタ（不図示）が設けられている。
【００３３】
ここで、本実施形態においては、ワイヤハーネス１００に高圧電線１１１Ａが用いられているものとして説明したが、これに限定されるものではない。例えば、ワイヤハーネス１００に公知のバスバーに絶縁体が設けられたもの等が用いられてもよい。
【００３４】
低圧電線１１１Ｂは、公知のものであればよい。本実施形態では、低圧電線１１１Ｂは、導電路集合体１１０の構成に含まれるものとして説明したが、これに限定されるものではない。すなわち、導電路集合体１１０に導電路集合体１１０が含まれるか否かについては任意である。
【００３５】
電磁シールド部材１１２は、高圧電線１１１Ａ及び低圧電線１１１Ｂを一括して覆う電磁シールド用の部材（電磁波対策用の部材）であって、導電性の金属箔を含むシールド部材、或いは金属箔単体などにて筒状に形成される。電磁シールド部材１１２は、高圧電線１１１Ａの全長とほぼ同じ長さに形成される。電磁シールド部材１１２は、高圧電線１１１Ａの端末に設けられるコネクタ（不図示）を介して、又は直接インバータユニット４のシールドケース等に接続されている。
【００３６】
本実施形態では、電磁シールド部材１１２は、金属箔を含んでいるものとして説明したが、これに限定されるものではない。すなわち、電磁シールド部材１１２は、電磁波対策をすることが可能であればよく、例えば、極細の素線を多数有し且つ導電性を有して筒状に形成される編組を用いてもよい。
【００３７】
（２−２）管体１２０の構成
管体１２０は、導電路集合体１１０（導電路１１１）の外装を被覆する。管体１２０は、柔軟性を有し、断面横長形状に形成されている。管体１２０の外周面は、凹凸を有することが好ましい。本実施形態では、管体１２０には、外周面に凹凸を有する樹脂製のコルゲートチューブ（蛇腹管）、いわゆる、平型のコルゲートチューブが用いられる。
【００３８】
管体１２０に用いられるコルゲートチューブは、軽量化に有効な構造になるのは勿論のこと、上述した低背化となる構造、すなわち、地面からの距離を稼げる有効な構造でもある。特に、コルゲートチューブは、スリットなしのものであって、外周面が水密に形成されるものが好ましい。
【００３９】
なお、管体１２０には、外周面に凹凸を有するコルゲートチューブが用いられるものとして説明したが、これに限定されるものではない。例えば、管体１２０には、外周面に凹凸を有する金属性のチューブ（蛇腹管）や、外周面に凹凸なしの樹脂製やゴム製等のチューブなどであってもよい。また、管体１２０は、断面横長形状に限らず、断面円形状や断面四角形状などであってもよい。
【００４０】
（３）ワイヤハーネスの固定構造１０の説明
次に、本実施形態に係るワイヤハーネスの固定構造１０の詳細について、図２及び図３を参照しながら説明する。なお、図３は、本実施形態に係るワイヤハーネスの固定構造１０を示す分解斜視図である。
【００４１】
図２及び図３に示すように、ワイヤハーネスの固定構造１０は、上述したワイヤハーネス１００を、車体１に固定可能な車体固定部材２００によって車体１の外周部（車体床下１１）に固定する構造である。この際、ワイヤハーネスの固定構造１０では、水又は光で硬化する長尺状の硬化性部材３００が用いられる。
【００４２】
（３−１）車体固定部材２００の構成
車体固定部材２００は、ワイヤハーネス１００（例えば、中間部１００Ｍ）が車体床下１１に配索される際に用いられる。車体固定部材２００は、管体１２０の複数の所定部分に設けられる。
【００４３】
ここで、車体固定部材２００は、ワイヤハーネス１００の中間部１００Ｍの他に、図１に示す矢印Ａや矢印Ｂで示す所定部分、すなわち、柔軟性を有する管体１２０であることからワイヤハーネス１００の屈曲部分や組み付け固定部分などの形状保持が必要な部分等に設けられる。以下においては、車体固定部材２００がワイヤハーネス１００の中間部１００Ｍに設けられている例について説明する。
【００４４】
車体固定部材２００は、クリップ本体部分２１０と、取付固定部分２２０とを備える。クリップ本体部分２１０は、車体床下１１に形成される貫通孔（不図示）に係合する。取付固定部分２２０は、クリップ本体部分２１０に連結され、硬化性部材３００によって管体１２０に沿うとともに管体１２０の外周に固定される。取付固定部分２２０は、板状をなしており、上面視において略Ｔ字状に形成されている。
【００４５】
なお、取付固定部分２２０は、ワイヤハーネス１００の屈曲部分に設けられている場合には、必ずしも平坦状である必要はなく、例えば、屈曲部分に沿った円弧状や略Ｌ字状等に形成されていてもよい。
【００４６】
ここで、取付固定部分２２０は、管体１２０の外周に予め取り付けられた硬化性部材３００に粘着されることによって、管体１２０の外周に仮固定される場合がある。この詳細については、後述する（図４参照）。
【００４７】
（３−２）硬化性部材３００の構成
硬化性部材３００は、車体固定部材２００にワイヤハーネス１００を固定する際に用いられる。硬化性部材３００は、水（例えば、水分の噴射・滴下等や水中への浸漬）、又は、光（例えば、可視光や専用の照明）で硬化する。硬化性部材３００は、長尺状、すなわち、テープ状を有している。
【００４８】
硬化性部材３００は、水又は光により硬化する表硬化部分３０１と、該表硬化部分３０１と一体化し粘着性を有する裏基材部分３０２とを含む。表硬化部分３０１は、裏基材部分３０２に対して含浸することで互いに保持される。
【００４９】
硬化性部材３００が水により硬化する場合には、表硬化部分３０１は、水硬化性樹脂組成物によって形成される。一方、硬化性部材３００が光により硬化する場合には、表硬化部分３０１は、光硬化性樹脂組成物によって形成される。
【００５０】
例えば、表硬化部分３０１としては、水硬化性ウレタン樹脂などが挙げられる。一方、裏基材部分３０２としては、ガラスウール、ガラスクロス、ポリエステルクロス、不織布などが挙げられる。なお、ガラスクロス、ポリエステルクロスはニット織りが含浸に適しており、ムラなく均一に含浸させることが可能になる。
【００５１】
このような硬化性部材３００は、この硬化時間が即時硬化、ゆっくり硬化などの調整可能な部材であることが好ましい。また、硬化性部材３００は、水分を嫌う作業環境下の場合等に特に有効である（使用環境下での水分は問題ないものとする）。
【００５２】
ここで、表硬化部分３０１（硬化性部材３００の表面）は、水又は光により硬化するのみではなく、当該硬化作用に加えて、粘着性を有していてもよい。この場合、硬化性部材３００が管体１２０の外周に予め取り付けられることによって、硬化性部材３００の表面（すなわち、表硬化部分３０１）に管体１２０の外周を仮固定できる。
【００５３】
（４）ワイヤハーネスの固定方法の説明
次に、本実施形態に係るワイヤハーネスの固定方法の詳細について、図４を参照しながら説明する。図４は、本実施形態に係るワイヤハーネスの固定方法を説明するための模式図である。
【００５４】
ワイヤハーネスの固定方法は、上述したワイヤハーネス１００を車体固定部材２００によって車体１の外周部に固定する方法である。ワイヤハーネスの固定方法は、下地巻き工程と、管体接着工程と、仮固定工程と、本巻き工程と、本固定工程とを含む。
【００５５】
まず、下地巻き工程では、車体固定部材２００と管体１２０との接触予定箇所に対応する管体１２０の外周位置に、裏基材部分３０２が内周側で表硬化部分３０１が外周側（表面側）となるように硬化性部材３００を巻き付ける。この硬化性部材３００の表面（すなわち、表硬化部分３０１）は、粘着性を有している。
【００５６】
ここで、下地巻き工程では、必ずしも硬化性部材３００を用いる必要はなく、例えば、表面が粘着性を有する公知のテープ等であってもよい。
【００５７】
次に、管体接着工程では、図４（ａ）に示すように、硬化性部材３００が巻き付けられた管体１２０の外周面に、車体１（車体床下１１）に固定可能な車体固定部材２００を接着する。
【００５８】
次に、仮固定工程では、図４（ｂ）に示すように、本巻き工程の前に、管体１２０の外周に車体固定部材２００が接着（接触）した状態で、車体固定部材２００と管体１２０との接触箇所に対応する外周位置に、仮止めテープ４００（例えば、ビニールテープ）を巻き付けることによって管体１２０の外周に車体固定部材２００を仮固定する。
【００５９】
次に、本巻き工程では、図４（ｃ）に示すように、管体１２０の外周に車体固定部材２００が接触（接着）した状態で、車体固定部材２００と管体１２０との接触箇所に対応する外周位置に、裏基材部分３０２が内周側で表硬化部分３０１が外周側（表面側）となるように硬化性部材３００を巻き付ける。すなわち、本巻き工程では、仮止めテープ４００によって管体１２０の外周に車体固定部材２００が仮固定された状態で、該仮止めテープ４００の外周近傍に硬化性部材３００を巻き付ける。
【００６０】
この際、硬化性部材３００を予め所望の厚みに形成しておくことや、硬化性部材３００が管体１２０の外周上で所望の厚みになるまで巻き付けることによって、管体１２０の強度を確保できるとともに、管体１２０を所望の形状で保持できる。
【００６１】
次に、本固定工程では、外周位置に取り付けられた硬化性部材３００を水又は光で硬化する。なお、硬化性部材３００に水又は光を供給する手段としては、持ち運びが可能なものであってもよく、製造現場に予め設置されるものであってもよい。
【００６２】
この後、硬化性部材３００によって管体１２０の外周に車体固定部材２００が固定されたワイヤハーネス１００（ワイヤハーネスの固定構造１０）は、例えば、自動車メーカー等に搬送され、車体固定部材２００を介して車体床下１１に固定されることとなる。
【００６３】
ここで、ワイヤハーネスの固定方法は、下地巻き工程と、管体接着工程と、仮固定工程と、本巻き工程と、本固定工程とを含むものとして説明したが、これに限定されるものではなく、少なくとも本巻き工程及び本固定工程を含んでいればよい。
【００６４】
（５）作用・効果
以上説明した本実施形態では、従来のようなクランプを用いることなく、管体１２０の外周に車体固定部材２００を長尺状の硬化性部材３００のみで固定できるため、省スペース化及び軽量化を実現できる。また、管体１２０の外周に硬化性部材３００によって車体固定部材２００が固定されると、硬化性部材３００の硬化作用によって管体１２０を任意の形状（例えば、直線状や円弧状や略Ｌ字状）に保持できる。つまり、硬化性部材３００のみで管体１２０を任意の形状に保持できるため、ワイヤハーネス１００の径や形状に左右されることなく、従来のようにワイヤハーネスの径や形状によって様々なサイズのクランプ及びサポート部材が必要なくなり、部品点数を減少できる。また、車体固定部材２００を専用設計することなく、一般的な安価な車体固定部材２００を利用できる。従って、設計費や材料費などの製造コストを確実に抑制できる。
【００６５】
本実施形態では、車体固定部材２００に管体１２０の外周に沿う取付固定部分２２０が設けられていることによって、管体１２０の外周に沿っていない取付固定部分２２０が設けられる場合と比較して、省スペース化を実現できる。さらに、管体１２０の外周に沿った取付固定部分２２０により管体１２０を任意の形状に保持しやすくなる（実施形態では、直線状に保持しやすくなる）ため、硬化性部材３００の取付作業が精度よく且つ容易となるとともに、管体１２０の強度をも確保できる。
【００６６】
本実施形態では、取付固定部分２２０が管体１２０の外周に仮固定されることによって、取付固定部分２２０と管体１２０の外周との位置ずれが生じにくく、硬化性部材３００の取付作業がさらに精度よく且つ容易となる。
【００６７】
本実施形態では、管体１２０の外周面は、凹凸を有することが好ましい。これによれば、硬化性部材３００は、硬化されると管体１２０の外周における凹部に入り込み、また、凸部にも引っ掛かる。このため、取付固定部分２２０と管体１２０の外周との位置ずれがさらに生じにくく、また、管体１２０を任意の形状に保持しやすくなる。特に、硬化性部材３００が取り付けられる管体１２０の外周の接着力が弱い場合（例えば、オレフィン系樹脂）には有効である。
【００６８】
本実施形態では、ワイヤハーネスの固定方法が本巻き工程と本固定工程とを含むことによって、従来のようなクランプを用いることなく、管体１２０の外周に車体固定部材２００を長尺状の硬化性部材３００のみで固定できるため、省スペース化及び軽量化を実現できる。また、本固定工程において、車体固定部材２００に管体１２０の外周が硬化性部材３００で固定されると、硬化性部材３００の硬化作用によって管体１２０を任意の形状に保持できる。これにより、ワイヤハーネス１００の径や形状に左右されることなく、部品点数を減少できる。また、車体固定部材２００を専用設計することなく、一般的な安価な車体固定部材２００を利用できる。従って、設計費や材料費などの製造コストを確実に抑制できる。
【００６９】
本実施形態では、ワイヤハーネスの固定方法が下地巻き工程と管体接着工程と仮固定工程とを含むことによって、取付固定部分２２０と管体１２０の外周との位置ずれが生じにくく、さらに、管体１２０の外周に車体固定部材２００を押さえ付ける手間がなくなり、硬化性部材３００の取付作業がさらに精度よく且つ容易となるため、生産性の向上を図ることができる。
【００７０】
（６）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施形態及び運用技術が明らかとなる。
【００７１】
例えば、本発明の実施形態は、次のように変更することができる。具体的には、硬化性部材３００は、管体１２０の外周（ワイヤハーネス１００）に車体固定部材２００を固定する際に用いられるものとして説明したが、これに限定されるものではない。例えば、硬化性部材３００は、ワイヤハーネス１００の屈曲部分（図１（ａ）の矢印Ａや矢印Ｂ）において管体１２０に巻き付けられることによって管体１２０の屈曲部分を予め硬化してもよい。その後、硬化性部材３００は、管体１２０の外周に車体固定部材２００が接触した状態で、上記屈曲部分の外周に巻き付けられる。これにより、屈曲部分の強度をさらに向上させることができる。
【００７２】
また、硬化性部材３００が設けられるワイヤハーネス１００の屈曲部分（図１（ａ）の矢印Ａや矢印Ｂ）の形状としては、単に曲げた形状であってもよく、捻りを加えた形状や平面視略Ｓ字状、クランク形状などであってもよく、硬化性部材３００がワイヤハーネス１００の屈曲部分において管体１２０を硬化できればよいことは勿論である。
【００７３】
また、車体固定部材２００は、クリップ本体部分２１０と取付固定部分２２０とを備えるものとして説明したが、これに限定されるものではなく、公知ものであればよい。例えば、車体固定部材２００Ａは、図５に示すようなハンド締め付けによるクリップ状であってもよい。この場合には、ワイヤハーネスの固定方法としては、下地巻き工程と、管体接着工程と、仮固定工程とを含まなくてもよい。
【００７４】
また、本固定工程については、製造現場で行われるものとして説明したが、これに限定されるものではなく、例えば、自動車メーカーで行われてもよい。これにより、自動車の形状や大きさなど様々なサイズの自動車に合わせて、管体１２０を所望の形状に成形できる。
【００７５】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００７６】
１…車体
１０…ワイヤハーネスの固定構造
１１…車体床下
１００…ワイヤハーネス
１１０…導電路集合体
１１１…導電路
１１２…電磁シールド部材
１２０…管体
２００，２００Ａ…車体固定部材
２１０…クリップ本体部分
２２０…取付固定部分
３００…硬化性部材
【図１】
2012171476.tif 000003
【図２】
2012171476.tif 000004
【図３】
2012171476.tif 000005
【図４】
2012171476.tif 000006
【図５】
2012171476.tif 000007